(57)【要約】【課題】トランスポートストリームに対して文字ストリームを追加し、文字ストリームをＯＳＤ表示するための属性情報を変更することで、ＯＳＤに文字表示が追加されたトランスポートストリームに変更するデータ処理装置を得る。【解決手段】データ処理装置１は、通信ネットワーク４を介してトランスポートストリーム信号Ｓ１１を受信する受信部１１０と、文字ストリームＳ２０を生成する生成部１２３と、文字ストリームＳ２０に基づいて、ＰＭＴを変更する変更部１２２と、ＴＳパケット群Ｓ１２に文字ストリームＳ２０を挿入することにより、文字ストリームＳ２０を含んだＴＳパケット群Ｓ１５を生成する挿入部１２４と、トランスポートストリーム信号Ｓ１６を、放送データを表示する表示装置３に対して出力する送信部１４０とを備える。【選択図】図１
2011004274.tif 000002
【特許請求の範囲】
【請求項１】
放送データが格納された複数のパケットと、前記複数のパケット各々の属性情報が格納されたパケットとを含む第１のトランスポートストリームを、通信ネットワークを介して受信する受信手段と、
文字ストリームを生成する生成手段と、
前記文字ストリームに基づいて、前記属性情報を変更する変更手段と、
前記第１のトランスポートストリームに前記文字ストリームを挿入することにより、第２のトランスポートストリームを生成する挿入手段と、
前記第２のトランスポートストリームを、前記放送データを表示する表示手段に対して出力する出力手段と
を備える、データ処理装置。
【請求項２】
前記挿入手段は、前記文字ストリームをパケットに格納し、当該パケットと前記第１のトランスポートストリームのｎｕｌｌパケットとを置換することにより、前記第２のトラスポートストリームを生成する、請求項１に記載のデータ処理装置。
【請求項３】
前記第１のトランスポートストリームにおいて、前記属性情報の部分にはスクランブルはかけられておらず、前記属性情報以外の部分にはスクランブルがかけられている、請求項１又は２に記載のデータ処理装置。
【請求項４】
（Ａ）放送データが格納された複数のパケットと、前記複数のパケット各々の属性情報が格納されたパケットとを含む第１のトランスポートストリームを、通信ネットワークを介して受信するステップと、
（Ｂ）文字ストリームを生成するステップと、
（Ｃ）前記文字ストリームに基づいて、前記属性情報を変更するステップと、
（Ｄ）前記第１のトランスポートストリームに前記文字ストリームを挿入することにより、第２のトランスポートストリームを生成するステップと、
（Ｅ）前記第２のトランスポートストリームを、前記放送データを表示する表示手段に対して出力するステップと
を備える、データ処理方法。
【請求項５】
コンピュータに放送データを処理させるためのプログラムであって、
前記コンピュータに、
（Ａ）放送データが格納された複数のパケットと、前記複数のパケット各々の属性情報が格納されたパケットとを含む第１のトランスポートストリームを、通信ネットワークを介して受信するステップと、
（Ｂ）文字ストリームを生成するステップと、
（Ｃ）前記文字ストリームに基づいて、前記属性情報を変更するステップと、
（Ｄ）前記第１のトランスポートストリームに前記文字ストリームを挿入することにより、第２のトランスポートストリームを生成するステップと、
（Ｅ）前記第２のトランスポートストリームを、前記放送データを表示する表示手段に対して出力するステップと
を実行させる、プログラム。
【発明の詳細な説明】
【技術分野】
【０００１】
本発明は、放送通信における伝送規格であるトランスポートストリームにおけるデータ処理装置、データ処理方法、及びプログラムに関する。
【背景技術】
【０００２】
デジタル放送などのトランスポートストリームを用いた通信規格では、放送信号には放送データ以外にも字幕ストリームやセクションデータが付加されている。これらの放送データやシステムデータは、ＯＳＤ（On Screen Display）表示器によって画面に映し出され、ユーザは放送を視聴、及びＯＳＤの操作をすることができる。
【０００３】
下記特許文献１には、トランスポートストリームを受け取ったＯＳＤ表示器が、表示されるＯＳＤを制御する技術が開示されている。ＯＳＤ表示器はデータコンテンツの記述にマークアップ言語を用いることで、映像データの復号化を必要とせず、データコンテンツをＯＳＤに表示させることが可能となる。
【先行技術文献】
【特許文献】
【０００４】
【特許文献１】特許第３７９０７６１号公報
【発明の概要】
【発明が解決しようとする課題】
【０００５】
ＴＳ（Transport Stream）パケットの伝送データ記憶域であるペイロードは、伝送段階でスクランブル化されており、トランスポートストリームは伝送途中で変更や追加をすることを前提として作られてはいないものである。したがって、ペイロードに含まれる字幕ストリームやセクションデータを変更するには、一度トランスポートストリームにかけられているスクランブルを解除する必要があった。したがって、ＯＳＤ表示に文字を追加するなどのデータの変更は、煩わしいものであった。
【０００６】
本発明の目的は、トランスポートストリームに対して、文字ストリームを追加し、文字ストリームをＯＳＤ表示するための属性情報を変更することで、ＯＳＤに文字表示が追加されたトランスポートストリームに変更するデータ処理装置、データ処理方法、及びプログラムを提供することである。
【課題を解決するための手段】
【０００７】
本発明の第１の態様に係るデータ処理装置は、放送データが格納された複数のパケットと、前記複数のパケット各々の属性情報が格納されたパケットとを含む第１のトランスポートストリームを、通信ネットワークを介して受信する受信手段と、文字ストリームを生成する生成手段と、前記文字ストリームに基づいて、前記属性情報を変更する変更手段と、前記第１のトランスポートストリームに前記文字ストリームを挿入することにより、第２のトランスポートストリームを生成する挿入手段と、前記第２のトランスポートストリームを、前記放送データを表示する表示手段に対して出力する出力手段とを備えることを特徴としている。
【０００８】
第１の態様に係るデータ処置装置によれば、第１のトランスポートストリームに対して、文字ストリームを追加し、文字ストリームをＯＳＤ表示するための属性情報を変更することで、第２のトランスポートストリームを受け取った表示手段は、追加された文字を表示することが可能となる。
【０００９】
本発明の第２の態様に係るデータ処理装置は、第１の態様に係るデータ処理装置において特に、前記挿入手段は、前記文字ストリームをパケットに格納し、当該パケットと前記第１のトランスポートストリームのｎｕｌｌパケットとを置換することにより、前記第２のトランスポートストリームを生成することを特徴としている。
【００１０】
第２の様態に係るデータ処理装置によれば、追加する文字ストリームが、元々伝送されるｎｕｌｌパケットに置換されるため、トランスポートストリームの伝送効率の悪化を招くことなく、文字ストリームを追加することが可能となる。さらに、文字ストリームを追加しても伝送するパケット数は変化しないので、トランスポートストリームのクロック・リカバリー機能のためにパケット数の調整を行う必要がない。
【００１１】
本発明の第３の態様に係るデータ処理装置は、第１又は第２の態様に係るデータ処理装置において特に、前記第１のトランスポートストリームにおいて、前記属性情報の部分にはスクランブルはかけられておらず、前記属性情報以外の部分にはスクランブルがかけられていることを特徴としている。
【００１２】
第３の態様に係るデータ処理装置によれば、属性情報以外の部分の放送データはスクランブル化されているため、放送データ送信元の意図に反する視聴を防ぐことができる。さらに、属性情報の部分にはスクランブルがかけられていないため、属性情報を変更する際に、スクランブル解除処理を実行する必要がない。
【００１３】
本発明の第４の態様に係るデータ処理方法は、（Ａ）放送データが格納された複数のパケットと、前記複数のパケット各々の属性情報が格納されたパケットとを含む第１のトランスポートストリームを、通信ネットワークを介して受信するステップと、（Ｂ）文字ストリームを生成するステップと、（Ｃ）前記文字ストリームに基づいて、前記属性情報を変更するステップと、（Ｄ）前記第１のトランスポートストリームに前記文字ストリームを挿入することにより、第２のトランスポートストリームを生成するステップと、（Ｅ）前記第２のトランスポートストリームを、前記放送データを表示する表示手段に対して出力するステップとを備えることを特徴としている。
【００１４】
第４の態様に係るデータ処理方法によれば、第１のトランスポートストリームに対して、文字ストリームを追加し、文字ストリームをＯＳＤ表示するための属性情報を変更することで、第２のトランスポートストリームを受け取った表示手段は、簡単に追加された文字を表示することが可能となる。
【００１５】
本発明の第５の態様に係るプログラムは、コンピュータに放送データを処理させるためのプログラムであって、前記コンピュータに、（Ａ）放送データが格納された複数のパケットと、前記複数のパケット各々の属性情報が格納されたパケットとを含む第１のトランスポートストリームを、通信ネットワークを介して受信するステップと、（Ｂ）文字ストリームを生成するステップと、（Ｃ）前記文字ストリームに基づいて、前記属性情報を変更するステップと、（Ｄ）前記第１のトランスポートストリームに前記文字ストリームを挿入することにより、第２のトランスポートストリームを生成するステップと、（Ｅ）前記第２のトランスポートストリームを、前記放送データを表示する表示手段に対して出力するステップとを実行させることを特徴としている。
【００１６】
第５の態様に係るプログラムによれば、コンピュータに対して、第１のトランスポートストリームに対して文字ストリームを追加させ、さらに、文字ストリームをＯＳＤ表示するための属性情報を変更させることで、表示手段によって、文字を追加表示させることのできる第２のトランスポートストリームを得ることが可能となる。
【発明の効果】
【００１７】
本発明によれば、トランスポートストリームに対して、文字ストリームを追加し、文字ストリームをＯＳＤ表示するための属性情報を変更することで、ＯＳＤに文字表示が追加されたトランスポートストリームに変更することが可能となる。
【図面の簡単な説明】
【００１８】
【図１】本発明の実施の形態に係るデータ処理装置を用いた通信システムの全体構成を示すブロック図である。
【図２】本発明の実施の形態に係るデータ処理装置の構成を示すブロック図である。
【図３】プログラムを実行することによって信号処理部において実現される機能を示す機能ブロック図である。
【図４】データ処理装置の動作を示すフローチャートである。
【図５】ＴＳパケットとＰＥＳパケットの内容データに関する図である。
【図６】同期型ＰＥＳのデータ構造例を示した図である。
【図７】非同期型ＰＥＳのデータ構造例を示した図である。
【図８】字幕におけるＰＥＳパケットの設定パラメータ例を示した図である。
【図９】文字スーパーにおけるＰＥＳパケットの設定パラメータ例を示した図である。
【図１０】字幕のデータグループのデータパラメータの例を示した図である。
【図１１】変更するＰＭＴの構造の例を示した図である。
【図１２】ＰＭＴに記述するストリームタイプの割り当てを示した図である。
【図１３】ストリームの多重化に関して模式的に表した比較図である。
【図１４】本発明の実施例の構成を示すブロック図である。
【図１５】本発明の実施例に係るＨＧＷの機能ブロック図である。
【図１６】字幕における字幕管理データのパラメータの例を示した図である。
【図１７】文字スーパーにおける字幕管理データのパラメータの例を示した図である。
【発明を実施するための形態】
【００１９】
以下、本発明の実施の形態について、図面を用いて説明する。なお、異なる図面において同一の符号を付した要素は、同一または相応する要素を示すものとする。
【００２０】
図１は、本発明の実施の形態に係るデータ処理装置１を用いた通信システムの全体構成を示すブロック図である。図１に示すように通信システムは、放送データを送信するデータ送信装置２（ＩＰ放送局又はＶＯＤサーバ等）と、ＩＰネットワーク等の通信ネットワーク４を介してデータ送信装置２に接続されたデータ処理装置１と、データ処理装置１に接続されたテレビ等の表示装置３とを備えて構成されている。但し、データ処理装置１は表示装置３に内蔵されていてもよい。データ処理装置１は、データ送信装置２と表示装置３との間で放送データを中継するとともに、詳細は後述するように、データ送信装置２から受信した放送データに対して新たな情報を付加することが可能である。
【００２１】
図２は、本発明の実施の形態に係るデータ処理装置１の構成を示すブロック図である。データ処理装置１は、受信部１１０、ＣＰＵ等の信号処理部１２０、半導体メモリ等の記憶部１３０、送信部１４０を備えている。また、データ処理装置１への入力は受信部１１０の入力に接続されている。受信部１１０からの出力は、信号処理部１２０の入力に接続されている。信号処理部１２０の出力は記憶部１３０の入力と送信部１４０の入力とに接続されている。記憶部１３０の出力は信号処理部１２０の入力に接続されている。そして、送信部１４０の出力は、データ処理装置１の出力となる。
【００２２】
本発明の実施の形態に係るデータ処理装置１はコンピュータ装置であり、記憶部１３０に格納されたプログラム１３５を信号処理部１２０が読み込み、プログラム１３５を実行
することで、本発明の機能を実現させることができる。通信ネットワーク４からのトランスポートストリーム信号Ｓ１１が受信部１１０に入力された場合、そのトランスポートストリーム信号Ｓ１１は信号処理部１２０に入力され、記憶部１３０に書き込まれる。そして、信号処理部１２０は記憶部１３０からプログラム１３５を読み込み、プログラム１３５の命令に従って、記憶部１３０から読み出したトランスポートストリーム信号Ｓ１１を処理していく。（以下、プログラムの読み込みと実行とを特に記載していない場合でも同様である。）
【００２３】
図３は、プログラム１３５を実行することによって信号処理部１２０において実現される機能を示す機能ブロック図である。プログラム１３５が信号処理部１２０によって実現させる機能においては、信号処理部１２０への入力は抽出部１２１と挿入部１２４との入力になる。抽出部１２１の出力は変更部１２２の入力となる。変更部１２２の出力は挿入部１２４の入力となる。生成部１２３の出力は挿入部１２４と変更部１２２との入力となる。挿入部１２４の出力が信号処理部１２０の出力となる。
【００２４】
次に、本発明の実施の形態に係るデータ処理装置１の動作の説明を、図４のフローチャートを用いて行う。本発明の実施の形態に係るデータ処理装置１は、トランスポートストリーム通信の中継を行う装置であり、データ処理装置１にはトランスポートストリーム信号Ｓ１１が入力される。このトランスポートストリーム信号Ｓ１１には、動画データを含むパケット、音声データを含むパケット、セクションデータなどを含むパケット、ｎｕｌｌパケット、そしてＰＭＴ（Program Map Table）と呼ばれるトランスポートストリームの属性情報を含むパケットなどを有している。図５にトランスポートに含まれるパケットについて模式的に表した図を示す。図５で示すようにトランスポートストリームのデータ記憶域であるペイロードには、ＰＥＳ（Packetized Elementary Stream）のパケットを格納することができる。また、トランスポートストリームはＰＥＳには付属できないセクションデータを含むパケットも有している。
【００２５】
まず、ステップＳＰ１００において、パケット通信によって伝送されてきたトランスポートストリーム信号Ｓ１１は受信部１１０に入力される。受信部１１０はトランスポートストリーム信号Ｓ１１を複数のＴＳパケットとして認識し、ＴＳパケット群Ｓ１２として出力する。
【００２６】
次に、ステップＳＰ２００において、抽出部１２１はＴＳパケット群Ｓ１２の中からＰＭＴを含むパケットを探し出し、ＰＭＴ情報を抽出する。抽出されたＰＭＴ情報はＰＭＴ情報信号Ｓ１７として、変更部１２２に送られる。
【００２７】
次に、ステップＳＰ３００において、生成部１２３は、ＯＳＤに表示される文字情報を含んだＰＥＳデータ形式の文字ストリームを生成し、文字ストリームＳ２０として出力する。さらに、生成した文字ストリームのストリーム情報Ｓ２０を出力する。この時の文字ストリームのＰＥＳデータ構造の例を図６、図７に示す。図６は同期型のＰＥＳのデータ構造であり、図７は非同期型のＰＥＳのデータ構造である。さらに、字幕におけるＰＥＳパケットの設定パラメータの例を図８に、文字スーパーにおけるＰＥＳパケットの設定パラメータの例を図９に示す。また、図８及び図９中にあげた字幕のデータグループのデータにおける、データパラメータの例を図１０に示した。
【００２８】
次に、ステップＳＰ４００において、生成部１２３より出力されたストリーム情報Ｓ１８は、変更部１２２に入力される。そして変更部１２２は、このストリーム情報Ｓ１８に基づいて、抽出部１２１より受け取ったＰＭＴ情報を変更する。変更するＰＭＴ情報の構造例を図１１に示す。また、ＰＭＴ情報に記述されるストリームタイプの割り当てを示した図を図１２に示す。ＰＭＴ情報の変更に際して、変更部１２２は文字ストリームのＰＩ
Ｄ（Packet Identification）を追加し、情報追加の終わったＰＭＴに応じたＣＲＣ（Cyclic Redundancy Check）を生成して、これを書き換える。その後、変更部１２２は変更が終了した新しいＰＭＴ情報Ｓ１９を出力する。
【００２９】
次に、ステップＳＰ５００において、変更部１２２から出力された新しいＰＭＴ情報Ｓ１９は、挿入部１２４に入力される。また、生成部１２３で生成された文字ストリームＳ２０も、挿入部１２４に入力される。挿入部１２４は、変更されたＰＭＴ情報を、ＴＳパケット群Ｓ１２の中の、抽出部１２１によって抽出された元のＰＭＴを含んでいたパケットに挿入し、新しいＰＭＴ情報に書き換える。さらに挿入部１２４は、ＴＳパケット群Ｓ１２に文字ストリームＳ２０を加え、新たなＴＳパケット群Ｓ１５として出力する。
【００３０】
挿入部１２４から新たなＴＳパケット群Ｓ１５を受け取った送信部１４０は、パケット送信処理を行い、トランスポートストリーム信号Ｓ１６として出力する。このトランスポートストリーム信号Ｓ１６がデータ処理装置１の出力となる。
【００３１】
データ処理装置１から出力された文字ストリームが追加されたトランスポートストリームは、ＯＳＤ表示器に入力されると、まずトランスポートストリームのＰＡＴ（Program Association Table）が読み出され、ＰＡＴに記載されたＰＭＴのＰＩＤにより、ＰＭＴが呼び出される。データ処理装置１の変更部１２２では、ＰＭＴ自身のＰＩＤ情報を変更することはないので、ＯＳＤ表示器は元のトランスポートストリームと同様に、新たに挿入したＰＭＴ情報を読み込むことができる。
【００３２】
次に、ＯＳＤ表示器はＰＭＴ情報に記載された放送データのＰＩＤにより、各放送データを呼び出す。このとき、本発明で追加された文字ストリームのＰＩＤも呼び出すので、ＯＳＤ表示器は新たにデータ処理装置１によって追加された文字ストリームを読み込み、ＯＳＤに表示することができる。
【００３３】
以上のように、本発明の実施の形態に係るデータ処理装置１によれば、受信したトランスポートストリームに対して、復号処理を実行する前に、新たに文字ストリームを追加することができる。さらに、トランスポートストリームのＯＳＤ表示の制御情報が記載されたＢＭＬ（Broadcast Markup Language）ファイルの変更を行わなくても、文字ストリームはＯＳＤ表示器に表示することができる。
【００３４】
＜第１の変形例＞
第１の変形例に係るデータ処理装置１によれば、ステップＳＰ５００において、挿入部１２４が文字ストリームをＴＳパケット群Ｓ１２に挿入するにあたって、ストリーム同士を多重化するのではなく、ＴＳパケット群Ｓ１２が有するｎｕｌｌパケットのペイロードと、文字ストリームのＰＥＳパケットデータとを置換する。一般的なストリーム同士の多重化した場合と、ｎｕｌｌパケットに置換して挿入する場合とのＴＳパケットを模式的に表した図を図１３に示す。なお、図１３においてＴＳパケットのヘッダ部は省略してある。
【００３５】
一般的なストリーム同士の多重化では、パケット同士を順番に多重にしていくので、ストリームの追加前と比べて伝送データ量が増えるのに対して、ｎｕｌｌパケットに置換して挿入すると、ストリームの追加前と伝送データ量は変わらず、伝送効率の悪化を招くことなくストリームの追加が可能である。
【００３６】
また、トランスポートストリーム通信では、送信側のクロックと受信側のクロックとを同期させるためにクロック・リカバリー機能が用いられる。このとき、一般的なストリーム同士の多重化を行うと、ストリーム中のパケット数が変わってしまうので、正しくクロ
ック・リカバリーするためには、改めてパケット数の調整などを行って同期をとる必要があるが、本発明の第１の変形例を用いれば、伝送するパケット数がデータ挿入の前と後とで変化しないため、改めてクロック・リカバリーのための調整を行う必要はない。
【００３７】
＜第２の変形例＞
第２の変形例に係るデータ処理装置１によれば、トランスポートストリーム信号Ｓ１１の放送データにはスクランブルがかけられているが、ＰＭＴにはスクランブルがかけられていない。したがって、抽出部１２１は特にスクランブルの解除といった複雑な処理をすることなくＰＭＴ情報を抽出することができ、挿入部１２４においても新たなＰＭＴ情報Ｓ１９の挿入を行うことが出来る。
【００３８】
ここでいうスクランブルとは、放送送信側が意図に反する視聴を防ぐ為に放送データを複雑化（ビット配列の並べ替えや、暗号化等）することである。スクランブルをかけられた放送データは、そのままでは読み取ることができない。そのため、スクランブルがかけられた放送データをデータ処理するためには、スクランブルを解除する必要がある。しかし、本発明の第２の変形例では、トランスポートストリームに表示文字の追加を行うにあたっても、スクランブルを解除する必要がない。
【００３９】
＜第３の変形例＞
図１４は本発明の第３の変形例を示したブロック図である。家庭内でデジタルテレビを視聴する際には、放送ネットワーク４００から送られてくる放送信号をＨＧＷ（Home Gateway）５００によって終端し、各デジタルテレビ３００ａ、３００ｂ、３００ｃに接続されたＳＴＢ（Set Top Box）２００ａ、２００ｂ、２００ｃにトランスポートストリーム信号を分配している。図１４はデジタルテレビ三台に対して信号を三分配しているが、あくまで例示であり、分配数やデジタルテレビの台数は本発明で限定するものではない。
【００４０】
ここで、ＳＴＢ２００ａとデジタルテレビ３００ａとの場合を用いて説明を行う。ＨＧＷ５００により分配されたトランスポートストリーム信号をＳＴＢ２００ａがデコードすることにより、デジタルテレビ３００ａにおいて、トランスポートストリームによって伝送された放送を視聴することができる。
【００４１】
このとき、家庭内に設置された防犯センサー６００によって異常が感知されたとき、異常感知信号がＨＧＷ５００に送られる。ＨＧＷ５００には本発明の実施の形態に関わるデータ処理装置１が実装されており、防犯センサー６００からの異常感知信号は生成部１２３に入力される。図１５に、ＨＧＷにおける機能ブロック図を示す。
【００４２】
異常感知信号が入力された生成部１２３は、「防犯センサーが異常を検知しました」という旨の文章を含む文字ストリームを生成し、データ処理装置１はその異常を知らせる文字ストリームをトランスポートストリームに追加する。このとき、文字ストリームのＰＥＳデータグループにおいてＴＭＤ（Time control Mode）及びＤＭＦ（Display Mode Flag）という項目で表示モードを設定しておく。図１６に字幕における字幕管理データのＰＥＳパラメータ、図１７に文字スーパーにおける字幕管理データのＰＥＳパラメータを示す。ここではリアルタイムに自動表示させるので、図１７のＴＭＤは‘０１’、ＤＭＦは‘００００’と設定する。
【００４３】
文字ストリームの追加されたトランスポートストリームは、通常の放送を行うトランスポートストリームと同様にＳＴＢ２００ａによってデコードされ、デジタルテレビ３００ａが受信する。このとき、デジタルテレビは文字ストリームのＰＥＳデータを読み込み、リアルタイムに自動表示するように、ＯＳＤを作動させる。こうして、文字ストリームによって追加された「防犯センサーが異常を検知しました」という旨の文字もデジタルテレ
ビ３００ａに表示されるので、デジタルテレビ３００ａの視聴者は防犯センサー６００が異常を検知したことを知ることが可能である。
【００４４】
第３の変形例では、ＨＧＷ５００が本発明の実施の形態に関わるデータ処理装置１を実装している場合を例示したが、本発明は実施の形態に関わるデータ処理装置１が実装されるべき機器について限定するものではない。さらにいえば、図１４において、ＳＴＢ２００ａやＳＴＢ２００ｂ、ＳＴＢ２００ｃにデータ処理装置１が実装されていた場合でも、同様の効果を得ることが可能である。
【００４５】
また、本発明の適用例は防犯センサーに限るものではなく、火災報知器による火災検知や、インターホンによる来客を知らせるなどにも用いることができる。
【００４６】
なお、今回開示された実施の形態は、すべての点で例示であり制限的なものではないと考えられるべきである。本発明の範囲は、上記した意味ではなく、特許請求の範囲にとって示され、特許請求の範囲と均等の意味及び範囲内でのすべての変更が含まれることが意図される。
【符号の説明】
【００４７】
１  データ処理装置
３  表示装置
４  通信ネットワーク
１１０  受信部
１２０  信号処理部
１２１  抽出部
１２２  変更部
１２３  生成部
１２４  挿入部
１３０  記憶部
１３５  プログラム
１４０  送信部
２００ａ、２００ｂ、２００ｃ  ＳＴＢ
３００ａ、３００ｂ、３００ｃ  デジタルテレビ
４００  放送ネットワーク
５００  ＨＧＷ
６００  防犯センサー
【図１】
2011004274.tif 000003
【図２】
2011004274.tif 000004
【図３】
2011004274.tif 000005
【図４】
2011004274.tif 000006
【図５】
2011004274.tif 000007
【図６】
2011004274.tif 000008
【図７】
2011004274.tif 000009
【図８】
2011004274.tif 000010
【図９】
2011004274.tif 000011
【図１０】
2011004274.tif 000012
【図１１】
2011004274.tif 000013
【図１２】
2011004274.tif 000014
【図１３】
2011004274.tif 000015
【図１４】
2011004274.tif 000016
【図１５】
2011004274.tif 000017
【図１６】
2011004274.tif 000018
【図１７】
2011004274.tif 000019